(57)【特許請求の範囲】
【請求項１】
放射性物質を含む被計測物の放射能濃度を得る放射能濃度計測装置において、
前記被計測物の放射能濃度を示す計測検出値を得る被計測物用計測部と、
放射能濃度が既知である第１の放射線源部における第１の放射能濃度を示す第１の基準検出値を得る第１の基準用計測部と、
放射能濃度が既知である第２の放射線源部における第２の放射能濃度を示す第２の基準検出値を得る第２の基準用計測部と、
前記第１の放射能濃度、前記第２の放射能濃度、前記第１の基準検出値及び前記第２の基準検出値を利用して変換関数を算出し、前記変換関数と前記計測検出値とを利用して前記被計測物の放射能濃度を算出する処理部と、を備え、
前記第１の放射線源部及び前記第２の放射線源部は、前記被計測物に近接して配置され、
前記第１の基準検出値及び第２の基準検出値は、前記計測検出値と同じタイミングで取得され、
前記第１の放射能濃度の値は、前記第２の放射能濃度の値とは異なる、放射能濃度計測装置。
【請求項２】
前記被計測物用計測部は、前記被計測物に接触して前記計測検出値を計測する計測物用センサを有し、
前記第１の基準用計測部は、前記第１の放射線源部に接触して前記第１の基準検出値を計測する第１の基準用センサを有し、
前記第２の基準用計測部は、前記第２の放射線源部に接触して前記第２の基準検出値を計測する第２の基準用センサを有する、請求項１に記載の放射能濃度計測装置。
【請求項３】
前記被計測物用計測部は、前記計測物用センサが接触した前記被計測物の領域を覆う計測物用遮蔽体を更に有し、
前記第１の基準用計測部は、前記第１の基準用センサが接触した前記第１の放射線源部の領域を覆う第１の基準用遮蔽体を更に有し、
前記第２の基準用計測部は、前記第２の基準用センサが接触した前記第２の放射線源部の領域を覆う第２の基準用遮蔽体を更に有する、請求項２に記載の放射能濃度計測装置。
【発明の詳細な説明】
【技術分野】
【０００１】
本発明は、放射性物質を含む被計測物の放射能濃度を計測する放射能濃度計測装置に関する。
【背景技術】
【０００２】
従来、放射線量を計測する分野の技術として特許文献１に記載された放射線計測システムが知られている。このシステムは、計測試料を収容する収容容器内における放射線量計の位置を保持する固定機構を備えている。この固定機構によれば、バックグラウンド計測及び本計測において放射線量計が収容容器に対して同一位置に固定されるので、本計測の計測値に重畳するバックグラウンドの放射線量と、バックグラウンド計測により得られた計測値とを同一にすることができる。従って、本計測の計測値からバックグラウンド計測の計測値を差し引くことにより計測試料の正味の値を正確に計測することができる。
【先行技術文献】
【特許文献】
【０００３】
【特許文献１】特開２０１３−３６９５７号公報
【発明の概要】
【発明が解決しようとする課題】
【０００４】
ところで、放射能濃度の計測環境によっては、バックグラウンド放射能濃度が時間的に変化する場合がある。バックグラウンド放射能濃度が時間的に変化すると、本計測の計測値に重畳されたバックグラウンド放射能濃度と、バックグラウンド計測における放射能濃度が異なる。そうすると、計測値からバックグラウンド計測における放射能濃度の値を差し引いたとしても、適切なバックグラウンド補正が行われたとは言い難くなる。従って、バックグラウンド放射能濃度が時間的に変化する環境では、信頼できる放射能濃度を得ることが困難であった。
【０００５】
そこで、本発明は、被計測物の信頼できる放射能濃度を得ることが可能な放射能濃度計測装置を提供することを目的とする。
【課題を解決するための手段】
【０００６】
本発明の一実施形態は、放射性物質を含む被計測物の放射能濃度を得る放射能濃度計測装置において、被計測物の放射能濃度を示す計測検出値を得る被計測物用計測部と、放射能濃度が既知である第１の放射線源部における第１の放射能濃度を示す第１の基準検出値を得る第１の基準用計測部と、放射能濃度が既知である第２の放射線源部における第２の放射能濃度を示す第２の基準検出値を得る第２の基準用計測部と、第１の放射能濃度、第２の放射能濃度、第１の基準検出値及び第２の基準検出値を利用して変換関数を算出し、変換関数と計測検出値とを利用して被計測物の放射能濃度を算出する処理部と、を備え、第１の放射線源部及び第２の放射線源部は、被計測物に近接して配置され、第１の基準検出値及び第２の基準検出値は、計測検出値と同じタイミングで取得され、第１の放射能濃度の値は、第２の放射能濃度の値とは異なる。
【０００７】
この構成によれば、第１の基準用計測部から、第１の放射能濃度と第１の基準検出値との組み合わせデータが得られる。また、第２の基準用計測部から、第２の放射能濃度と第２の基準検出値との組み合わせデータが得られる。そして、これらデータを利用することにより、処理部は、放射能濃度と検出値との関係を示す変換関数を算出する。そして、この変換関数に、計測検出値を適用することにより、被計測物の放射能濃度を得ることができる。ここで、第１及び第２の放射線源部は、被計測物の近傍に配置されているため、第１の放射線源部、第２の放射線源部及び被計測物は、略同等のバックグラウンド放射能濃度の環境に配置されることになる。そして、変換関数を利用した被計測物の放射能濃度により、バックグラウンド放射能濃度の影響は補正される。更に、第１及び第２の基準検出値は、被計測物の計測検出値と同じタイミングで取得されるため、放射能濃度の計測時におけるバックグラウンド放射能濃度に応じた補正が可能になる。従って、時間的にバックグラウンド放射能濃度が変化する計測環境下であっても、被計測物の信頼できる放射能濃度を得ることができる。
【０００８】
被計測物用計測部は、被計測物に接触して計測検出値を計測する計測物用センサを有し、第１の基準用計測部は、第１の放射線源部に接触して第１の基準検出値を計測する第１の基準用センサを有し、第２の基準用計測部は、第２の放射線源部に接触して第２の基準検出値を計測する第２の基準用センサを有することとしてもよい。この構成によれば、計測検出値と、第１及び第２の基準検出値とを容易に計測することができる。
【０００９】
被計測物用計測部は、計測物用センサが接触した被計測物の領域を覆う計測物用遮蔽体を更に有し、第１の基準用計測部は、第１の基準用センサが接触した第１の放射線源部の領域を覆う第１の基準用遮蔽体を更に有し、第２の基準用計測部は、第２の基準用センサが接触した第２の放射線源部の領域を覆う第２の基準用遮蔽体を更に有することとしてもよい。この構成によれば、計測物用センサから出力される計測検出値のＳ／Ｎ比を向上させることができる。また、第１及び第２の基準用センサから出力される第１及び第２の基準検出値のＳ／Ｎ比を向上させることができる。
【００１０】
第１の放射線源部及び第２の放射線源部は、互いに異なる密度を有する放射線源体を含んでいてもよい。この構成によれば、被計測物と第１及び第２の放射線源部との密度差による影響を計算により補正する必要がなく、被計測物の放射能濃度を更に精度良く計測することができる。
【発明の効果】
【００１１】
本発明によれば、被計測物の信頼できる放射能濃度を得ることが可能な放射能濃度計測装置が提供される。
【図面の簡単な説明】
【００１２】
【図１】図１は、本発明の一実施形態に係る放射能濃度計測装置の概略図である。
【図２】図２は、放射能濃度計測装置の機能ブロック図である。
【図３】図３の（ａ）部、（ｂ）部及び（ｃ）部は、放射能濃度計測装置による放射能濃度計測が行われる環境を示す図である。
【図４】図４は、放射能濃度計測部から出力された検出値と放射能濃度との関係を示すグラフである。
【発明を実施するための形態】
【００１３】
以下、添付図面を参照しながら本発明を実施するための形態を詳細に説明する。図面の説明において同一の要素には同一の符号を付し、重複する説明を省略する。
【００１４】
放射能濃度計測装置は、フレキシブルコンテナバッグ（以下、単に「バッグ」ともいう）等に収容された放射性物質が含まれた被計測物の放射能濃度を計測する装置である。この放射能濃度計測装置は、バッグを開封して被計測物を取り出すことなく、バッグに収容した状態で被計測物の放射能濃度を計測する。図１に示されるように、放射能濃度計測装置１は、被計測物用計測部２と、基準用計測部３，４と、処理部６と、を備えている。被計測物用計測部２及び基準用計測部３，４は、処理部６と接続され、計測検出値が処理部６に出力されると共に第１及び第２の基準検出値が処理部６に出力される。処理部６は、これら計測検出値及び基準検出値等のデータを利用して、被計測物７の放射能濃度を算出する。
【００１５】
被計測物７は、例えば容積１ｍ３程度のバッグ８に収容されている。被計測物７には、放射性物質を含む土壌、汚泥、草木等がある。このバッグ８は、後述する有効検知領域９よりも大きい容積を有していることが好ましい。有効検知領域９よりも大きい場合には、放射能濃度計測装置１は、被計測物７の形状、大きさ、重量を問わずに放射能濃度を計測することが可能である。
【００１６】
被計測物用計測部２は、放射能濃度センサ（計測物用センサ）１１と、簡易遮蔽体（計測物用遮蔽体）１２とを有している。放射能濃度センサ１１は、バッグ８に接触させて、接触部近傍の有効検知領域９に存在する被計測物７の放射能濃度を計測するためのものである。放射能濃度センサ１１は、例えば、放射線エネルギーを吸収して蛍光を発生させるシンチレータと、シンチレータで発生した光を電気信号に変換する光電変換部とを有する装置を有している。シンチレータには、例えば、ＮａＩ（Ｔｌ）シンチレータや、ＣｓＩ（Ｔｌ）シンチレータが用いられる。このような放射能濃度センサ１１からは、シンチレータで発生した光をカウントした値（ＣＰＳ）が計測検出値として出力される。
【００１７】
この放射能濃度センサ１１は、簡易遮蔽体１２により周囲を覆われている。簡易遮蔽体１２は、バックグラウンド放射能濃度のキャンセルよりも、Ｓ／Ｎ比を確保するためのものである。より詳細には、放射能濃度センサ１１は、計測面１１ａがバッグ８に接触させられ、計測面１１ａ以外の部分が簡易遮蔽体１２に覆われている。すなわち、放射能濃度センサ１１近傍の有効検知領域９は、簡易遮蔽体１２により覆われている。このような簡易遮蔽体１２には、例えば、鉄や鉛といった放射線を遮断する能力を有する金属からなる部材が用いられる。
【００１８】
また、被計測物用計測部２は、被計測物７の重量を計測するための重量計１３を有している。この重量計１３からは、被計測物７の重量値が処理部６に出力される。
【００１９】
基準用計測部（第１の基準用計測部）３は、基準放射線源体（第１の放射線源部）３ａと、放射能濃度センサ（第１の基準用センサ）１１と、簡易遮蔽体（第１の基準用遮蔽体）１２とを有している。また、基準用計測部（第２の基準用計測部）４は、基準放射線源体（第２の放射線源部）４ａと、放射能濃度センサ（第２の基準用センサ）１１と、簡易遮蔽体（第２の基準用遮蔽体）１２とを有している。すなわち、基準用計測部３，４は、基準放射線源体３ａ，４ａを有する点が被計測物用計測部２と異なっている。基準用計測部３の放射能濃度センサ１１からは、シンチレータで発生した光をカウントした値（ＣＰＳ）が第１の基準検出値として処理部６に出力される。基準用計測部４の放射能濃度センサ１１からは、シンチレータで発生した光をカウントした値（ＣＰＳ）が第２の基準検出値として処理部６に出力される。
【００２０】
基準放射線源体３ａ，４ａは、被計測物７と近接して配置されている。この近接した配置とは、被計測物７と基準放射線源体３ａ，４ａとが同等のバックグラウンド放射線濃度の環境下に配置されることを意味している。また、基準放射線源体３ａ，４ａは、互いに異なる既知の放射能濃度を有している。例えば、基準放射線源体３ａは、無汚染、すなわち０Ｂｑ／ｋｇの放射能濃度を有している。一方、基準放射線源体４ａは、８０００Ｂｑ／ｋｇの放射能濃度を有している。また、基準放射線源体３ａ，４ａは、被計測物７と略同等の密度を有する物質により構成されている。例えば、基準放射線源体３ａ，４ａとしては砂が用いられる。
【００２１】
ここで、被計測物用計測部２における放射能濃度センサ１１は、基準用計測部３，４における放射能濃度センサ１１と同じ構成及び特性を有しているため、互いに交換することが可能である。これらの放射能濃度センサ１１を定期的に入れ替えることにより、放射能濃度センサ１１の故障や劣化異常を判定することが可能になる。より具体的には、本来、補正されて特性が揃えられた放射能濃度センサ１１によれば、それぞれを入れ替えたとしても、検出値には許容誤差程度の差異しか現れないはずである。従って、許容誤差以上の検出値の差異が現れた場合には、３個の放射能濃度センサ１１の何れかに故障が生じていることがわかる。このように、検出値の許容誤差からの逸脱の程度により、放射能濃度センサ１１の劣化傾向の把握、異常判断、故障判断が可能になるので、放射能濃度センサ１１におけるシンチレータの経年劣化や故障による不適切な計測を排除することができる。
【００２２】
図２に示されるように、処理部６は、機能的構成要素として、計測検出値入力部１４と、基準検出値入力部１６と、基準放射能濃度入力部１７と、変換関数算出部１８と、計測値算出部１９と、を有している。また、処理部６は、計測検出値及び基準検出値以外のデータ（例えば基準放射線源体３ａ，４ａの放射能濃度）を入力するための入力装置２１と、計算結果を表示する出力装置２２とを更に備えている。処理部６は、コンピュータにおいて処理プログラムを実行することにより、コンピュータを本実施形態の処理部６として機能させることが可能になる。以下、各構成要素の機能について説明する。
【００２３】
計測検出値入力部１４は、被計測物用計測部２における放射能濃度センサ１１と接続されて、放射能濃度センサ１１から計測検出値が入力される。そして、計測検出値入力部１４は、計測検出値を計測値算出部１９に出力する。基準検出値入力部１６は、基準用計測部３，４の放射能濃度センサ１１と接続されて、それぞれの放射能濃度センサ１１から第１の基準検出値及び第２の基準検出値が入力される。そして、基準検出値入力部１６は、第１及び第２の基準検出値を変換関数算出部１８に出力する。基準放射能濃度入力部１７は、入力装置２１と接続されて、基準放射線源体３ａが有する既知の第１の放射能濃度と、基準放射線源体４ａが有する既知の第２の放射能濃度とが入力される。そして、基準放射能濃度入力部１７は、第１の放射能濃度及び第２の放射能濃度を変換関数算出部１８に出力する。
【００２４】
変換関数算出部１８は、基準検出値入力部１６から入力された第１の基準検出値及び第２の基準検出値と、入力装置２１から入力された第１の放射能濃度及び第２の放射能濃度とを利用して、変換関数を算出する。より詳細には、変換関数を示す係数を算出する。変換関数が例えば１次関数であるとすると、変換関数は下記式（１）により示される。
ＢＳ＝ａ×ＣＳ＋ｂ…（１）
ただし、ａ＝（Ｂ２−Ｂ１）／（Ｃ２−Ｃ１）、ｂ＝Ｂ１−（Ｂ２−Ｂ１）／（Ｃ２−Ｃ１）×Ｃ１である。また、ＣＳは被計測物７の計測検出値であり、Ｃ１は基準放射線源体３ａの第１の基準検出値であり、Ｂ１は、基準放射線源体３ａの第１の放射能濃度であり、Ｃ２は、基準放射線源体４ａの第２の基準検出値であり、Ｂ２は、基準放射線源体４ａの第２の放射能濃度である。
【００２５】
計測値算出部１９は、上記（１）式に計測検出値入力部１４から入力された計測検出値ＣＳを入力して、被計測物７の放射能濃度ＢＳを算出する。そして、算出された被計測物７の放射能濃度ＢＳを出力装置２２に出力する。
【００２６】
次に、放射能濃度計測装置１を利用してバッグ８に収容された被計測物７の放射能濃度を計測する工程について具体的に説明する。なお、以下に示す数値は、説明の便宜上例示するものである。
【００２７】
図３の（ａ）部〜（ｃ）部に示されるように、保管領域２３からバッグ８ａを運んでトラック２４に載置し、トラック２４に載せたバッグ８ａ内の被計測物７の放射能濃度ＢＳを計測する。ここで、基準放射線源体３ａの放射能濃度Ｂ１は、無汚染、すなわち０Ｂｑ／ｋｇであり、基準放射線源体４ａの放射能濃度Ｂ２は、８０００Ｂｑ／ｋｇであるとする。
【００２８】
まず、図３の（ａ）に示されるように、バッグ８ａをトラック２４に載置し、計測検出値ＣＳを取得する。このとき、保管領域２３には５個のバッグ８ｂ〜８ｆがある。これらバッグ８ｂ〜８ｆは、バッグ８ａの計測検出値ＣＳの計測におけるバックグラウンド放射線源となり得る。また、基準放射線源体４ａも放射性物質である。このため、基準放射線源体４ａもバッグ８ａの計測検出値ＣＳの計測におけるバックグラウンド放射線源となり得る。従って、バッグ８ａの計測への影響を抑制するため、バッグ８ａと基準放射線源体４ａとの間に遮蔽壁を設けることが好ましい。なお、基準放射線源体３ａも放射性物質である場合には、バッグ８ａと基準放射線源体３ａとの間に遮蔽壁を設けることが好ましい。図３の（ａ）の状態で計測を行った結果、例えば、以下の数値が得られたとする。
被計測物７の計測検出値ＣＳ：１１０００［ＣＰＳ］
基準放射線源体３ａの基準検出値Ｃ１：２０００［ＣＰＳ］
基準放射線源体３ａの放射能濃度Ｂ１：０［Ｂｑ／ｋｇ］
基準放射線源体４ａの基準検出値Ｃ２：１００００［ＣＰＳ］
基準放射線源体４ａの放射能濃度Ｂ２：８０００［Ｂｑ／ｋｇ］
【００２９】
上記式（１）に放射能濃度Ｂ１，Ｂ２及び基準検出値Ｃ１，Ｃ２を代入すると、下記式（２）が得られる。この式（２）は、図４のグラフＧ１に対応している。ここで、グラフＧ１上において、点Ｐ１は、基準放射線源体３ａの計測データ（Ｃ１，Ｂ１＝２０００，０）を示している。点Ｐ２は、基準放射線源体４ａの計測データ（Ｃ２，Ｂ２＝１００００，８０００）を示している。
ＢＳ＝ＣＳ−２０００…（２）
そして、上記式（２）に被計測物７の計測検出値ＣＳ（＝１１０００）を代入すると、バッグ８ａに収容された被計測物７の放射能濃度ＢＳは９０００Ｂｑ／ｋｇであることがわかる。
【００３０】
次に、図３の（ｂ）に示されるように、バッグ８ｄをトラック２４に載置し、計測検出値ＣＳを取得する。このとき、保管領域２３には２個のバッグ８ｅ，８ｆがある。これらバッグ８ｅ，８ｆは、バッグ８ｄの計測検出値ＣＳの計測におけるバックグラウンド放射線源となり得る。しかし、図３の（ａ）部に示された状況よりもバッグ８ｅ，８ｆの数が少ないためバックグラウンド放射能濃度が変化していると予想される。具体的には、バックグラウンド放射能濃度は減少する傾向にあると予想される。図３の（ｂ）の状態で、計測を行った結果、例えば、以下の数値が得られたとする。
被計測物７の計測検出値ＣＳ：１００００［ＣＰＳ］
基準放射線源体３ａの基準検出値Ｃ１：１０００［ＣＰＳ］
基準放射線源体３ａの放射能濃度Ｂ１：０［Ｂｑ／ｋｇ］
基準放射線源体４ａの基準検出値Ｃ２：９０００［ＣＰＳ］
基準放射線源体４ａの放射能濃度Ｂ２：８０００［Ｂｑ／ｋｇ］
【００３１】
上記式（１）に放射能濃度Ｂ１，Ｂ２及び基準検出値Ｃ１，Ｃ２を代入すると、下記式（３）が得られる。この式（３）は、図４のグラフＧ２に対応している。ここで、グラフＧ２上において、点Ｐ３は、基準放射線源体３ａの計測データ（Ｃ１，Ｂ１＝１０００，０）を示している。点Ｐ４は、基準放射線源体４ａの計測データ（Ｃ２，Ｂ２＝９０００，８０００）を示している。
ＢＳ＝ＣＳ−１０００…（３）
そして、上記式（３）に被計測物７の計測検出値ＣＳ（＝１００００）を代入すると、バッグ８ｄに収容された被計測物７の放射能濃度ＢＳは９０００Ｂｑ／ｋｇであることがわかる。
【００３２】
次に、図３の（ｃ）部に示されるように、バッグ８ｆをトラック２４に載置し、計測検出値ＣＳを取得するこのとき、保管領域２３にはバッグは存在しない。従って、バックグラウンド放射能濃度は、図３の（ａ）部及び（ｂ）部よりも更に小さい傾向にあると予想される。図３の（ｃ）の状態で、計測を行った結果、例えば、以下の数値が得られたとする。
被計測物７の計測検出値ＣＳ：９０００［ＣＰＳ］
基準放射線源体３ａの基準検出値Ｃ１：０［ＣＰＳ］
基準放射線源体３ａの放射能濃度Ｂ１：０［Ｂｑ／ｋｇ］
基準放射線源体４ａの基準検出値Ｃ２：８０００［ＣＰＳ］
基準放射線源体４ａの放射能濃度Ｂ２：８０００［Ｂｑ／ｋｇ］
【００３３】
上記式（１）に放射能濃度Ｂ１，Ｂ２及び基準検出値Ｃ１，Ｃ２を代入すると、下記式（４）が得られる。この式（４）は、図４のグラフＧ３に対応している。ここで、グラフＧ３上において、点Ｐ５は、基準放射線源体３ａの計測データ（Ｃ１，Ｂ１＝０，０）を示している。点Ｐ６は、基準放射線源体４ａの計測データ（Ｃ２，Ｂ２＝８０００，８０００）を示している。
ＢＳ＝ＣＳ…（４）
そして、上記式（４）に被計測物７の計測検出値ＣＳ（＝９０００）を代入すると、バッグ８ｆに収容された被計測物７の放射能濃度ＢＳは９０００Ｂｑ／ｋｇであることがわかる。
【００３４】
ここで、図４に示されたグラフＧ１，Ｇ２，Ｇ３を参照すると、計測環境が異なるごとに、互いに異なる傾向を示している。より詳細には、それぞれのグラフＧ１，Ｇ２，Ｇ３のＸ切片が変化している。このＸ切片は、放射能濃度ＢＳがゼロである計測物を計測した時に放射能濃度センサ１１から出力される計測検出値ＣＳである。すなわち、バックグラウンド放射能濃度に相当する。そうすると、保管領域２３に多数のバッグ８ｂ〜８ｆが存在していた状態（図３の（ａ）参照）であるときに最も大きいバックグラウンド放射能濃度が計測され、保管領域２３にバッグが存在していない状態（図３の（ｃ）参照）であるときに最も小さいバックグラウンド放射能濃度が計測されていることがわかる。従って、放射能濃度計測装置１は、バックグラウンド放射能濃度が計測ごとに変化する環境においても、信頼できる放射能濃度の値を得られる。
【００３５】
放射能濃度計測装置１によれば、基準用計測部３から、放射能濃度Ｂ１と基準検出値Ｃ１との組み合わせデータが得られる。また、基準用計測部４から、放射能濃度Ｂ２と基準検出値Ｃ２との組み合わせデータが得られる。そして、これらデータを利用することにより、処理部６は、放射能濃度ＢＳと計測検出値ＣＳとの関係を示す変換関数（上記式（１）〜（４）参照）を算出する。そして、この変換関数に計測検出値ＣＳを適用することにより、被計測物７の放射能濃度ＢＳを得ることができる。
【００３６】
ここで、基準放射線源体３ａ，４ａは、被計測物７の近傍に配置されているため、基準放射線源体３ａ，４ａ及び被計測物７は、略同等のバックグラウンド放射能濃度の環境に配置されることになる。そして、変換関数を利用して被計測物７の放射能濃度ＢＳが算出されるので、バックグラウンド放射能濃度の影響は補正される。更に、基準検出値Ｃ１，Ｃ２は、被計測物７の計測検出値ＣＳと同じタイミングで取得されるため、放射能濃度ＢＳの計測時におけるバックグラウンド放射能濃度に応じた補正が可能になる。従って、時間的にバックグラウンド放射能濃度が変化する計測環境下であっても、被計測物７の信頼できる放射能濃度ＢＳを得ることができる。
【００３７】
また、被計測物用計測部２は、被計測物７に接触して計測検出値ＣＳを計測する放射能濃度センサ１１を有し、基準用計測部３は、基準放射線源体３ａに接触して基準検出値Ｃ１を計測する放射能濃度センサ１１を有し、基準用計測部４は、基準放射線源体４ａに接触して基準検出値Ｃ２を計測する放射能濃度センサ１１を有している。この構成によれば、計測検出値ＣＳと、基準検出値Ｃ１，Ｃ２とを容易に計測することができる。
【００３８】
被計測物用計測部２及び基準用計測部３，４は、簡易遮蔽体１２を更に有している。この構成によれば、放射能濃度センサ１１から出力される計測検出値ＣＳ及び基準検出値Ｃ１，Ｃ２のＳ／Ｎ比を向上させることができる。
【００３９】
本発明は、前述した実施形態に限定されず、本発明の要旨を逸脱しない範囲で種々の変形が可能である。
【００４０】
例えば、放射能濃度計測装置１は、第１及び第２の基準用計測部に加え、更に第３の基準用計測部や第４の基準用計測部というように、２個以上の基準用計測部を備えていてもよい。このような構成によれば、基準用計測部の数に対応して、放射能濃度と基準検出値との組み合わせデータが複数得られる。このため、変換関数を、２次関数や３次関数といった高次の関数としたり、複数のデータを利用して近似関数とすることが可能になる。従って、計測検出値から放射能濃度へ変換する変換精度を向上させることができる。
【００４１】
被計測物７の放射能濃度の計測精度を向上させるため、第１の放射線源部及び前記第２の放射線源部が、互いに異なる密度を有する放射線源体を含み、基準検出値を得る場合に、被計測物７の密度に応じて、略同等の密度を有する基準放射線源を適宜選択するようにしてもよい。例えば、被計測物７が土壌である場合には、当該土壌と同等の密度を有する基準放射線源を選択してもよい。また、被計測物７が草木である場合には、当該草木と同等の密度を有する基準放射線源を選択してもよい。
【符号の説明】
【００４２】
１…放射能濃度計測装置、２…被計測物用計測部、３…基準用計測部（第１の基準用計測部）、３ａ…基準放射線源体（第１の放射線源部）、４…基準用計測部（第２の基準用計測部）、４ａ…基準放射線源体（第２の放射線源部）、６…処理部、７…被計測物、８，８ａ〜８ｂ…バッグ、９…有効検知領域、１１…放射能濃度センサ（計測物用センサ、第１の基準用センサ、第２の基準用センサ）、１１ａ…計測面、１２…簡易遮蔽体（計測物用遮蔽体、第１の基準用遮蔽体、第２の基準用遮蔽体）、１４…計測検出値入力部、１６…基準検出値入力部、１７…基準放射能濃度入力部、１８…変換関数算出部、１９…計測値算出部、２１…入力装置、２２…出力装置、２３…保管領域、２４…トラック、Ｂ１，Ｂ２，ＢＳ…放射能濃度、Ｃ１，Ｃ２…基準検出値、ＣＳ…計測検出値。
【図１】
0006443876.tif 000002
【図２】
0006443876.tif 000003
【図３】
0006443876.tif 000004
【図４】
0006443876.tif 000005